(57)【要約】【課題】入力直流電圧が電気二重層コンデンサの電圧より低くても、電気二重層コンデンサに対して充電を行う電気二重層コンデンサの充電装置を提供する。【解決手段】直流電圧供給装置２０および前記電気二重層コンデンサ３０に電気的に接続している制御回路１０２と、直流電圧供給装置２０、電気二重層コンデンサ３０および制御回路１０２に電気的に接続している昇圧および充電ユニット１０８とを含む。昇圧および充電ユニット１０８は、直流電圧供給装置２０および制御回路１０２に電気的に接続している昇圧回路１０４と、制御回路１０２、昇圧回路１０４および電気二重層コンデンサ３０に電気的に接続している充電回路１０６とを有する。直流電圧供給装置２０は、制御回路１０２および昇圧回路１０４に入力直流電圧２２を伝送し、制御回路１０２は昇圧および充電ユニット１０８を制御することにより電気二重層コンデンサ３０に充電を行う。【選択図】図１
0003200547.tif 000002
【実用新案登録請求の範囲】
【請求項１】
直流電圧供給装置および電気二重層コンデンサに応用される電気二重層コンデンサの充電装置であって、
前記電気二重層コンデンサの充電装置は、前記直流電圧供給装置および前記電気二重層コンデンサに電気的に接続している制御回路と、
前記直流電圧供給装置、前記電気二重層コンデンサおよび前記制御回路に電気的に接続している昇圧および充電ユニットと、を含み、
前記昇圧および充電ユニットは、前記直流電圧供給装置および前記制御回路に電気的に接続している昇圧回路と、
前記制御回路、前記昇圧回路および前記電気二重層コンデンサに電気的に接続している充電回路とを、有し、
前記直流電圧供給装置は、前記制御回路および前記昇圧回路に入力直流電圧を伝送し、前記制御回路は前記昇圧および充電ユニットを制御することにより前記電気二重層コンデンサに充電を行うことを特徴とする電気二重層コンデンサの充電装置。
【請求項２】
前記制御回路は、前記直流電圧供給装置に電気的に接続している低電圧検出ユニットを有し、前記直流電圧供給装置は前記低電圧検出ユニットに前記入力直流電圧を伝送し、前記低電圧検出ユニットは検出した前記入力直流電圧が所定の電圧より低い場合、低電圧信号を発信することを特徴とする請求項１に記載の電気二重層コンデンサの充電装置。
【請求項３】
前記制御回路は、前記直流電圧供給装置に電気的に接続している電圧範囲検出ユニットをさらに有し、前記直流電圧供給装置は前記電圧範囲検出ユニットに前記入力直流電圧を伝送し、前記電圧範囲検出ユニットは検出した前記入力直流電圧が標準電圧の範囲内であった場合、標準電圧信号を発信することを特徴とする請求項２に記載の電気二重層コンデンサの充電装置。
【請求項４】
前記制御回路は、前記電気二重層コンデンサに電気的に接続している電気二重層コンデンサ電圧検出ユニットをさらに有し、前記電気二重層コンデンサ電圧検出ユニットは検出した前記電気二重層コンデンサの電圧が満充電電圧より低い場合、充電要求信号を発信することを特徴とする請求項３に記載の電気二重層コンデンサの充電装置。
【請求項５】
前記制御回路は、前記低電圧検出ユニット、前記電圧範囲検出ユニット、前記電気二重層コンデンサ電圧検出ユニットおよび前記昇圧回路に電気的に接続している昇圧制御論理ユニットをさらに有し、前記低電圧検出ユニットは前記昇圧制御論理ユニットに前記低電圧信号を伝送し、前記電圧範囲検出ユニットは前記昇圧制御論理ユニットに標準電圧信号を伝送し、前記電気二重層コンデンサ電圧検出ユニットは前記昇圧制御論理ユニットに充電要求信号を伝送し、前記昇圧制御論理ユニットは前記低電圧信号、前記標準電圧信号および前記充電要求信号を受信すると、前記昇圧回路を稼動させ、前記昇圧回路が受信した前記入力直流電圧を昇圧させて前記昇圧電圧とすることを特徴とする請求項４に記載の電気二重層コンデンサの充電装置。
【請求項６】
前記制御回路は、前記電圧範囲検出ユニット、前記電気二重層コンデンサ電圧検出ユニットおよび前記充電回路に電気的に接続している充電制御論理ユニットをさらに有し、前記電圧範囲検出ユニットは前記充電制御論理ユニットに前記標準電圧信号を伝送し、前記電気二重層コンデンサ電圧検出ユニットは前記充電制御論理ユニットに前記充電要求信号を伝送し、前記充電制御論理ユニットは前記標準電圧信号および前記充電要求信号を受信すると、前記充電回路を稼動させて前記昇圧回路の伝送した前記昇圧電圧を受信させ、前記昇圧電圧を介して前記電気二重層コンデンサに充電を行うことを特徴とする請求項５に記載の電気二重層コンデンサの充電装置。
【請求項７】
前記制御回路は、前記直流電圧供給装置および前記電気二重層コンデンサに電気的に接続している電圧差比較ユニットをさらに有し、前記直流電圧供給装置は前記電圧差比較ユニットに前記入力直流電圧を伝送し、前記電気二重層コンデンサは前記電圧差比較ユニットに電圧を伝送し、前記電圧差比較ユニットは前記入力直流電圧および前記電気二重層コンデンサの伝送した電圧を比較し、前記入力直流電圧が前記電気二重層コンデンサの伝送した電圧より低かった場合、適切値を加えて昇圧要求信号を発信することを特徴とする請求項１に記載の電気二重層コンデンサの充電装置。
【請求項８】
前記制御回路は、前記直流電圧供給装置に電気的に接続している電圧範囲検出ユニットをさらに有し、前記直流電圧供給装置は前記電圧範囲検出ユニットに前記入力直流電圧を伝送し、前記電圧範囲検出ユニットは検出した前記入力直流電圧が標準電圧の範囲内であった場合、前記標準電圧信号を発信することを特徴とする請求項７に記載の電気二重層コンデンサの充電装置。
【請求項９】
前記制御回路は、前記電気二重層コンデンサに電気的に接続している電気二重層コンデンサ電圧検出ユニットをさらに有し、前記電気二重層コンデンサ電圧検出ユニットは検出した前記電気二重層コンデンサの電圧が満充電電圧より低い場合、充電要求信号を発信することを特徴とする請求項８に記載の電気二重層コンデンサの充電装置。
【請求項１０】
前記制御回路は、前記低電圧検出ユニット、前記電圧範囲検出ユニット、前記電気二重層コンデンサ電圧検出ユニットおよび前記昇圧回路に電気的に接続している昇圧制御論理ユニットと、
前記電圧範囲検出ユニット、前記電気二重層コンデンサ電圧検出ユニットおよび充電回路に電気的に接続している充電制御論理ユニットと、をさらに有し、
前記電圧差比較ユニットは前記昇圧制御論理ユニットに前記昇圧要求信号を伝送し、前記電圧範囲検出ユニットは前記昇圧制御論理ユニットおよび前記充電制御論理ユニットに前記標準電圧信号を伝送し、前記電気二重層コンデンサ電圧検出ユニットは前記昇圧制御論理ユニットおよび前記充電制御論理ユニットに前記充電要求信号を伝送し、前記昇圧制御論理ユニットが前記昇圧要求信号、前記標準電圧信号および前記充電要求信号を受信すると、前記昇圧回路を稼動させ、前記昇圧回路が受信した前記入力直流電圧を昇圧させて前記昇圧電圧とし、前記充電制御論理ユニットは前記標準電圧信号および前記充電要求信号を受信すると、前記充電回路を稼動させて前記昇圧回路の伝送した前記昇圧電圧を受信させ、前記昇圧電圧により前記電気二重層コンデンサに充電を行うことを特徴とする請求項９に記載の電気二重層コンデンサの充電装置。
【考案の詳細な説明】
【技術分野】
【０００１】
本考案は、電気二重層コンデンサの充電装置に関し、特に、入力直流電圧が電気二重層コンデンサの電圧より低くても、電気二重層コンデンサに対して充電を行う電気二重層コンデンサの充電装置に関する。
【背景技術】
【０００２】
電気二重層コンデンサの充電装置は、電気二重層コンデンサを充電するのに用いられる。電気二重層コンデンサは、きわめて広範に用いられるため、充電装置が非常に重要なのである。
【０００３】
従来の電気二重層コンデンサの充電装置には、電気二重層コンデンサの充電装置にインプットされる直流電圧が電気二重層コンデンサの電圧を下回ることができないという短所があった。
【先行技術文献】
【特許文献】
【０００４】
【特許文献１】特開２０１０−２０７０６２号公報
【考案の概要】
【考案が解決しようとする課題】
【０００５】
本考案の目的は、入力直流電圧が電気二重層コンデンサの電圧より低くても、電気二重層コンデンサに対して充電を行う電気二重層コンデンサの充電装置を提供することにある。
【課題を解決するための手段】
【０００６】
上述の目的を達成するため、本考案は、電気二重層コンデンサの充電装置を提供する。本考案の電気二重層コンデンサの充電装置は、直流電圧供給装置および前記電気二重層コンデンサに電気的に接続している制御回路と、直流電圧供給装置、電気二重層コンデンサおよび制御回路に電気的に接続している昇圧および充電ユニットとを含む。昇圧および充電ユニットは、直流電圧供給装置および制御回路に電気的に接続している昇圧回路と、制御回路、昇圧回路および電気二重層コンデンサに電気的に接続している充電回路とを有する。直流電圧供給装置は、制御回路および昇圧回路に入力直流電圧を伝送し、制御回路は昇圧および充電ユニットを制御することにより電気二重層コンデンサに充電を行う。
【考案の効果】
【０００７】
本考案の電気二重層コンデンサの充電装置は、入力直流電圧が電気二重層コンデンサの電圧より低くても、電気二重層コンデンサに対して充電を行うことができる。
【図面の簡単な説明】
【０００８】
【図１】本考案の一実施形態による電気二重層コンデンサの充電装置のブロック図である。
【図２】本考案の第１の実施形態による制御回路のブロック図である。
【図３】本考案の第２の実施形態による制御回路のブロック図である。
【考案を実施するための形態】
【０００９】
以下、本考案の実施形態を図面に基づいて説明する。
【００１０】
図１を参照して説明する。図１は、本考案の一実施形態による電気二重層コンデンサの充電装置のブロック図である。図１に示すように、本考案の電気二重層コンデンサの充電装置１０は、直流電圧供給装置２０および電気二重層コンデンサ３０に応用される。電気二重層コンデンサの充電装置１０は、制御回路１０２および昇圧および充電ユニット１０８を含む。昇圧および充電ユニット１０８は、昇圧回路１０４および充電回路１０６を有する。制御回路１０２は、直流電圧供給装置２０および電気二重層コンデンサ３０に電気的に接続している。昇圧および充電ユニット１０８は、直流電圧供給装置２０、電気二重層コンデンサ３０および制御回路１０２に電気的に接続している。昇圧回路１０４は、直流電圧供給装置２０および制御回路１０２に電気的に接続している。充電回路１０６は、制御回路１０２、昇圧回路１０４および電気二重層コンデンサ３０に電気的に接続している。
【００１１】
直流電圧供給装置２０は、制御回路１０２および昇圧回路１０４に入力直流電圧２２を伝送する。制御回路１０２は、昇圧および充電ユニット１０８を制御することにより電気二重層コンデンサ３０に充電を行う。充電回路１０６は、定格の充電電流を提供するのに用いられる。充電回路１０６の電圧は、電気二重層コンデンサ３０の電圧にしたがい、浮動調整される。
【００１２】
図２を参照して説明する。図２は、本考案の第１の実施形態による制御回路のフロー図である。図２に示すように、本考案の制御回路１０２は、低電圧検出ユニット１０２０２、電圧範囲検出ユニット１０２０４、電気二重層コンデンサ電圧検出ユニット１０２０６、昇圧制御論理ユニット１０２０８および充電制御論理ユニット１０２１０を有する。
【００１３】
低電圧検出ユニット１０２０２は、直流電圧供給装置２０に電気的に接続している。電圧範囲検出ユニット１０２０４は、直流電圧供給装置２０に電気的に接続している。電気二重層コンデンサ電圧検出ユニット１０２０６は、電気二重層コンデンサ３０に電気的に接続している。昇圧制御論理ユニット１０２０８は、低電圧検出ユニット１０２０２、電圧範囲検出ユニット１０２０４、電気二重層コンデンサ電圧検出ユニット１０２０６および昇圧回路１０４に電気的に接続している。充電制御論理ユニット１０２１０は、電圧範囲検出ユニット１０２０４、電気二重層コンデンサ電圧検出ユニット１０２０６および充電回路１０６に電気的に接続している。
【００１４】
直流電圧供給装置２０は、低電圧検出ユニット１０２０２に入力直流電圧２２を伝送する。低電圧検出ユニット１０２０２は、検出した入力直流電圧２２が所定の電圧より低い場合、低電圧信号１０２１４を発信する。また、直流電圧供給装置２０は、電圧範囲検出ユニット１０２０４に入力直流電圧２２を伝送する。電圧範囲検出ユニット１０２０４は、検出した入力直流電圧２２が標準電圧の範囲内であった場合、標準電圧信号１０２１６を発信する。電気二重層コンデンサ電圧検出ユニット１０２０６は、検出した電気二重層コンデンサ３０の電圧が満充電電圧より低い場合、充電要求信号１０２１８を発信する。
【００１５】
低電圧検出ユニット１０２０２は、昇圧制御論理ユニット１０２０８に低電圧信号１０２１４を伝送する。直流電圧供給装置２０の伝送した入力直流電圧２２が十分に高い場合、昇圧する必要がなく、昇圧回路１０４は、直接充電回路１０６に入力直流電圧２２を伝送する。電圧範囲検出ユニット１０２０４は、昇圧制御論理ユニット１０２０８に標準電圧信号１０２１６を伝送する。電気二重層コンデンサ電圧検出ユニット１０２０６は、昇圧制御論理ユニット１０２０８に充電要求信号１０２１８を伝送する。昇圧制御論理ユニット１０２０８は、低電圧信号１０２１４、標準電圧信号１０２１６および充電要求信号１０２１８を受信すると、昇圧回路１０４を稼動させ、昇圧回路１０４が受信した入力直流電圧２２を昇圧させて昇圧電圧１１０とする。
【００１６】
電圧範囲検出ユニット１０２０４は、充電制御論理ユニット１０２１０に標準電圧信号１０２１６を伝送する。電気二重層コンデンサ電圧検出ユニット１０２０６は、充電制御論理ユニット１０２１０に充電要求信号１０２１８を伝送する。充電制御論理ユニット１０２１０は、標準電圧信号１０２１６および充電要求信号１０２１８を受信すると、充電回路１０６を稼動させて昇圧回路１０４の伝送した昇圧電圧１１０を受信させ、昇圧電圧１１０を介して電気二重層コンデンサ３０に充電を行う。
【００１７】
図３を参照する。図３は、本考案の第２の実施形態による制御回路のブロック図である。図３に示すように、本考案の制御回路１０２は、電圧差比較ユニット１０２１２、電圧範囲検出ユニット１０２０４、電気二重層コンデンサ電圧検出ユニット１０２０６、昇圧制御論理ユニット１０２０８および充電制御論理ユニット１０２１０を有する。
【００１８】
電圧差比較ユニット１０２１２は、直流電圧供給装置２０および電気二重層コンデンサ３０に電気的に接続している。電圧範囲検出ユニット１０２０４は、直流電圧供給装置２０に電気的に接続している。電気二重層コンデンサ電圧検出ユニット１０２０６は、電気二重層コンデンサ３０に電気的に接続している。昇圧制御論理ユニット１０２０８は、電圧差比較ユニット１０２１２、電圧範囲検出ユニット１０２０４、電気二重層コンデンサ電圧検出ユニット１０２０６および昇圧回路１０４に電気的に接続している。充電制御論理ユニット１０２１０は、電圧範囲検出ユニット１０２０４、電気二重層コンデンサ電圧検出ユニット１０２０６および充電回路１０６に電気的に接続している。
【００１９】
直流電圧供給装置２０は、電圧差比較ユニット１０２１２に入力直流電圧２２を伝送する。電気二重層コンデンサ３０は、電圧差比較ユニット１０２１２に電圧を伝送する。電圧差比較ユニット１０２１２は、入力直流電圧２２および電気二重層コンデンサ３０の伝送した電圧を比較し、入力直流電圧２２が電気二重層コンデンサ３０の伝送した電圧より低かった場合、適切値（これがないと充電回路１０６は充電が行えない）を加え、昇圧要求信号１０２２０を発信する。直流電圧供給装置２０は、電圧範囲検出ユニット１０２０４に入力直流電圧２２を伝送する。電圧範囲検出ユニット１０２０４は、検出した入力直流電圧２２が標準電圧の範囲内であった場合、標準電圧信号１０２１６を発信する。電気二重層コンデンサ電圧検出ユニット１０２０６は、検出した電気二重層コンデンサ３０の電圧が満充電電圧より低い場合、充電要求信号１０２１８を発信する。
【００２０】
電圧差比較ユニット１０２１２は、昇圧制御論理ユニット１０２０８に昇圧要求信号１０２２０を伝送する。電圧範囲検出ユニット１０２０４は、昇圧制御論理ユニット１０２０８および充電制御論理ユニット１０２１０に標準電圧信号１０２１６を伝送する。電気二重層コンデンサ電圧検出ユニット１０２０６は、昇圧制御論理ユニット１０２０８および充電制御論理ユニット１０２１０に充電要求信号１０２１８を伝送する。昇圧制御論理ユニット１０２０８が昇圧要求信号１０２２０、標準電圧信号１０２１６および充電要求信号１０２１８を受信すると、昇圧回路１０４を稼動させ、昇圧回路１０４が受信した入力直流電圧２２を昇圧させて昇圧電圧１１０とする。充電制御論理ユニット１０２１０は、標準電圧信号１０２１６および充電要求信号１０２１８を受信すると、充電回路１０６を稼動させて昇圧回路１０４の伝送した昇圧電圧１１０を受信させ、昇圧電圧１１０により電気二重層コンデンサ３０に充電を行う。
【００２１】
本考案の電気二重層コンデンサの充電装置は、入力直流電圧２２が電気二重層コンデンサ３０の電圧より低くても、電気二重層コンデンサ３０に対して充電を行うことができる。
【００２２】
本考案では好適な実施形態を前述の通りに開示したが、これらは決して本考案を限定するものではなく、当該技術を熟知する者は誰でも、本考案の精神と領域を脱しない範囲内で各種の変更や修正を加えることができる。従って、本考案の保護の範囲は、実用新案請求の範囲で指定した内容を基準とする。
【符号の説明】
【００２３】
１０  電気二重層コンデンサの充電装置
２０  直流電圧供給装置
２２  入力直流電圧
３０  電気二重層コンデンサ
１０２  制御回路
１０４  昇圧回路
１０６  充電回路
１０８  昇圧および充電ユニット
１１０  昇圧電圧
１０２０２  低電圧検出ユニット
１０２０４  電圧範囲検出ユニット
１０２０６  電気二重層コンデンサ電圧検出ユニット
１０２０８  昇圧制御論理ユニット
１０２１０  充電制御論理ユニット
１０２１２  電圧差比較ユニット
１０２１４  低電圧信号
１０２１６  標準電圧信号
１０２１８  充電要求信号
１０２２０  昇圧要求信号
【図１】
0003200547.tif 000003
【図２】
0003200547.tif 000004
【図３】
0003200547.tif 000005